(57)【特許請求の範囲】
【請求項１】
少なくとも１つの長手方向ガイドを備える電池スロット内に配置された２個の電気接点を有する電子装置ハウジングを備え、各接点が外方に偏らされるとともに幅Ｗ1を有してなるヘッドセットインターコム用電池であって、
前記スロット内に摺動可能に受容されるための端部を有するベースを備え、前記電子装置ハウジングの前記長手方向ガイドと嵌まり合う嵌合ガイドを備える電池ハウジングと、
前記ベース上に露出された２個の電気接点と、
前記端部と前記２個の電気接点との間で前記ベース上に長手方向に延在して設けられ、前記ベースと前記電子装置ハウジングの前記電気接点上の接触制限域との接触を防ぐための少なくとも１つの凹部と、を備える電池。
【請求項２】
（ａ）ヘッドセット電子装置と２個の電気接点とを備える電子装置ハウジングと、
（ｂ）前記電子装置ハウジングに取り付けられて両者間に空間を画成するスピーカーと、
（ｃ）前記電子装置ハウジングに給電するための電池であって、該電池は前記スピーカーと前記電子装置ハウジングとの間の前記空間に少なくとも部分的に配置され、前記電子装置ハウジングが、前記電池を摺動可能に受け入れて前記電子装置ハウジングに固定するための、前記スピーカーの近傍に配置される側面開放スロットを備え、該スロットが少なくとも１つのフランジを備え、前記電池が少なくとも１つの凹部を備え、前記電池を前記電子装置ハウジングに固定するために前記少なくとも１つのフランジが前記少なくとも１つの凹部と嵌まり合うように構成される電池と、
（ｄ）前記電池を前記電子装置ハウジングに保持するためのラッチと、を具備し、
（ｅ）前記電池が、
（１）前記スロットに摺動可能に受容されるための端部を有するベースを備える電池ハウジングと、
（２）前記ベース上に露出された２個の電気接点と、
（３）前記端部と前記２個の電気接点との間で前記ベース上に長手方向に延在して設けられ、前記ベースと前記電子装置ハウジングの前記電気接点上の接触制限域との接触を防ぐための少なくとも１つの凹部と、を更に備える、
ヘッドセットアセンブリ用の電子装置ハウジング。
【発明の詳細な説明】
【０００１】
発明の分野
本発明は概して交換可能な電源すなわち電池を備えたヘッドセットアセンブリに関する。
【０００２】
発明の背景
ヘッドセットアセンブリは、広範囲の用途および幅広い産業において頻繁に使用されている。例えば、ファーストフード産業において、ドライブスルーレーンに居るお客から注文を受けるために、ファーストフードレストランの一人または複数の従業員が一般にヘッドセットアセンブリを着用している。同様に、銀行業において、ドライブスルーレーンを有する銀行の金銭出納係が顧客と話をするためにヘッドセットアセンブリを着用することもあろう。小売業においては、デパートや倉庫などの広域内において、貯蔵室やその他の従業員が互いに連絡を取るためにヘッドセットがよく使用されている。
【０００３】
典型的なヘッドセットアセンブリは、ヘッドバンドと電子装置ハウジングを備えている。電子装置ハウジングは、概してヘッドバンドの一端に取り付けられており、そして通常、イヤホーンスピーカー、マイクブーム、およびイヤホーンとマイクを機能させるのに必要な電子回路を備えている。ヘッドセットアセンブリに給電するために、取り外し可能な電源すなわち電池が用いられることもあろう。電池が放電してしまうと、電池が取り外されて、充電される。この電池は後に再利用される。或いは、ヘッドセットアセンブリを連続的に使用できるように、充電された二番目の電池が用いられる。最大限の性能と電池寿命を引き出すには、接点間の十分な電気接触を確保する必要がある。電池が頻繁に取り外されるので、汚染物質が電池と電子装置ハウジングの接点間の電気接触を防ぐのを防止することが重要である。
【０００４】
発明の概要
本発明は電池および該電池と共に用いるための電子装置ハウジングを備えたヘッドセットアセンブリに関する。電子装置ハウジングは、電池を摺動可能に受けるための電池スロットを備えている。電池スロットの中には２個の電気接点が備えられている。電池が摺動可能に電池スロットの中に受容される時、電子装置ハウジングの電気接点に接触するように配置された２個の接点が電池に設けられている。電池が電池スロットに摺動可能に挿入されるか、或いは電池スロットから取り外される時、電池のハウジングのベースと電子装置ハウジングの電気接点の少なくとも一部の間の接触を制限するために、電池のハウジングのベースに少なくとも一つの凹部が設けられている。当該凹部がベース内の二つのスロットとして形成され、そして各電気接点に対して一つのスロットが整列して、物理的接触が制限されることが好ましい。
【０００５】
電池の摺動方向に対して横方向の幅を有する隆起部が電池の接点に設けられていることが好ましい。隆起部の幅は、電子装置ハウジングの電気接点の幅より小さい。隆起部の前縁が電子装置ハウジングの電気接点と係合可能であり、電池が摺動してスロットに挿入される時に隆起部の前縁が電子装置ハウジングの電気接点の汚れを落とす。各隆起部の幅は、電池のハウジングの凹部を形成している各スロットの幅に概して等しいことが好ましい。
【０００６】
本発明の上記概要は、例示の実施形態のそれぞれを記述することを意図していない。以下の図と詳細な記述がこれらの実施形態をより具体的に例示する。
【０００７】
本発明の以下の様々な実施形態の詳細な記述を付属図面と共に考察することによって、本発明をより完全に理解できるであろう。
【０００８】
本発明は様々な変更に修正可能であり、また代替的形態を取り得るが、本発明の詳細は図面内の例によって示されており、そして詳述されるであろう。しかしながら、本発明を記載されている実施形態に限定する意図はないことが理解されるべきである。逆に、添付した特許請求の範囲に定義されている本発明の精神と範囲内のすべての変更、等価物、代案をカバーするのがその意図である。
【０００９】
図面の詳細な説明
本発明は概して取り外し可能な電池を備えたヘッドセットアセンブリに関する。本発明の様々な態様と特徴の評価が代表的な実施形態の考察を通して得られるであろう。代表的な実施形態に幾つかの特徴を含むヘッドセットアセンブリが例示されているが、本発明がそれらに限定されるものではない。いずれかの特徴あるいは特徴の組み合わせを含むヘッドセットアセンブリが本発明によってカバーされることが意図されている。
【００１０】
図１と図２Ａ、２Ｂは、本発明の一実施形態による代表的なヘッドセットアセンブリの斜視図と断面図である。ヘッドセットアセンブリ１００は、ヘッドバンド１１０と電子装置ハウジング１２０を備えている。電子装置ハウジング１２０は概して回路板や電池などのヘッドセット電子装置を収納している。電子装置ハウジングには、例えばイヤホーンスピーカー１２８、マイクブーム１２６、およびヘッドセット電子装置操作用タッチパッド１２４が取り付けられているであろう。見て分かる通り、概してイヤホーンスピーカー１２８とマイクブーム１２６は快適な位置に調整できるように電子装置ハウジング１２０に回動可能に取り付けられている。例えば発泡ポリエチレン製の内向きパッド１３０がヘッドセットアセンブリ１００に取り付けられてもよい。以下で詳述されているように、取り外し可能な電池９００もまた電子装置ハウジング１２０に装着される。
【００１１】
上述したように、典型的なヘッドセットアセンブリ１００は、ユーザーの利便性と快適性を高める幾つかの特徴を例示する。典型的なヘッドバンド１１０においては、ユーザーがヘッドバンドの応力を受けない幅を好都合に調節できるようになっている。ヘッドバンド１１０の応力を受けない幅を調節できるように、ヘッドバンド１１０には概して互いに回動可能に連結された二つのヘッドピース１１２、１１４およびヘッドピースの回動を制限する機構が備えられている。ユーザーの頭に張力を加えて、定位置にヘッドセットを保持するために、ヘッドピースの少なくとも一つにはある程度の可撓性がある。
【００１２】
例示されている実施形態においては、二つのヘッドピース１１２、１１４には、一つの比較的可撓性のヘッドピース１１４と一つの比較的硬質の支持ヘッドピース１１２が含まれている。支持ヘッドピース１１２は概して支持構造物を提供しており、そしてこの支持構造物に対してフレキシブルヘッドピース１１４が撓んで、頭に所望の張力を加えて、ヘッドセットを定位置に保持する。ヘッドピース１１２、１１４は幾つかの異なる材料で製造されるであろう。例えば、フレキシブルヘッドピース１１４は可撓性のプラスチックで形成され、そして支持ヘッドピース１１２は比較的硬質のプラスチックで形成されるであろう。適当なプラスチックの一つは、例えばナイロンである。
【００１３】
フレキシブルヘッドピース１１４は、ピン１１７によって支持ヘッドピース１１２の端部近傍に旋回可能に連結されている。しかしながら、本発明はそれに限定されない。この旋回可能な連結部がその他の方法で形成されてもよい。例えば、二つのヘッドピース間で一体のヒンジを形成する、比較的薄い部分を備えて、二つのヘッドピース１１２、１１４が一体に形成されてもよい。
【００１４】
この代表的な実施形態においては、図２Ｂに最もよく示されているように、支持ヘッドピース１１２に対するフレキシブルヘッドピース１１４の回動を制限する機構が支持ヘッドピース１１２の一部１６４に摺動可能に取り付けられたタブ１６２を有している。概して、タブ１６２が外側へ動かされると、ヘッドバンドの応力を受けない幅が大きくなり、タブ１６２が内側へ動かされると、ヘッドバンドの応力を受けない幅が小さくなる。この方法より、ユーザーの頭に快適にフィットさせるべく、ヘッドバンド１１０の応力を受けない幅を適当に調節できるであろう。
【００１５】
図２Ａ、２Ｂに最もよく示されているように、タブ１６２は面１６６を有している。この面１６６がフレキシブルヘッドピース１１４と係合して、フレキシブルヘッドピース１１４の回動を制限する。更にこの面１６６は一つの構造物を提供しており、フレキシブルヘッドピース１１４がこの構造物に当接して撓んで頭に張力を加える。フレキシブルヘッドピース１１４は、それ自体が面１６６に当接するまで回動可能であり、そして当接後のフレキシブルヘッドピース１１４の更なる動きによって同ヘッドピース１１４から張力が生み出される。
【００１６】
図２Ｂに最もよく示されているように、典型的なタブ１６２には上部１６５と下部１６７が含まれており、これらの部分がピン１６９によって支持ヘッドピース１１２の延長部１６４に取り付けられている。タブ１６２は一揃えの溝１６８ａを有しており、これらの溝１６８ａが支持ヘッドピースの延長部１６４の表面に設けられた一揃えの溝１６８ｂと係合することによって、タブ１６２の位置（およびヘッドバンド１００の幅）がセットされる。溝セット１６８ａと溝セット１６８ｂが互いに寄り合うように偏らせるべく、リーフスプリング１６９が設けられてもよい。概して、タブがいつでも移動できるように、しかしながらフレキシブルヘッドピースからの圧力が作用した時にタブが支持ヘッドピースの延長部１６４の上で滑らないように、リーフスプリングによる付勢が設定される。
【００１７】
タブ１６２が例としてのみ備えられていることが認識されるべきである。フレキシブルヘッドピース１１４の回動を制限するために、その他の様々な構造物や機構が用いられてもよい。例えば、タブ面１６６の平面以外の平面内で動かされる面を有する機構が用いられてもよい。更に、本発明は三つ或いはその他の固定数の応力を受けない幅に限定されない。
【００１８】
図３〜５に示されているように、代表的な実施形態においては、三つの異なる幅へとフレキシブルヘッドピース１１４が回動できるように、タブ１６２が構成されている。さらに詳細には、図３は最も内側の位置にあるタブ１６２を例示している。この場合、フレキシブルヘッドピースは外向きに、応力を受けない幅Ｗ1まで回動可能である。この最内側位置は最小ヘッドバンド応力を受けない幅を提供し、頭のサイズが小さいユーザーに適している。図４は中間位置にあるタブ１６２を示している。この場合、フレキシブルヘッドピース１１４は応力を受けない幅Ｗ2まで回動可能である。この中間位置は中程度のヘッドバンド応力を受けない幅を提供し、頭のサイズが僅かにより大きいユーザーに適している。最後に、図５は最も外側の位置にあるタブ１６２を示している。この場合、フレキシブルヘッドピースは応力を受けない幅Ｗ3まで回動可能である。この最外側位置は最大ヘッドバンド応力を受けない幅Ｗ3を提供し、より大きなサイズの頭を収容する。フレキシブルヘッドピース１１４のための、これらの三つの応力を受けない幅Ｗ1、Ｗ2、Ｗ3は、頭のサイズの最も広い範囲をカバーすべく選定されてもよい。
【００１９】
使用時に、ユーザーは所望のヘッドバンドの応力を受けない幅が得られる位置へタブ１６２を摺動させる。概して、応力を受けない幅はユーザーの頭より僅かに狭い。それから、ユーザーはフレキシブルヘッドピース１１４を撓めることによって、ヘッドバンドを応力を受けない幅を超えて拡張して、ヘッドバンドを頭に着用する。応力を与えられたヘッドバンドが生み出す張力がヘッドセットを定位置に保持する。
【００２０】
上述のヘッドバンドの応力を受けない幅は様々なサイズの頭に適合するように好都合に調節できる。従来のヘッドバンドでは、上述したように、応力を受けない幅が一つだけである。これらの従来のヘッドバンドでは、大きな頭に比べて、小さい頭には小さい張力しか作用しない。従って、大きな頭にはしばしば過度の張力が作用して、不快感を引き起こし、小さい頭に作用する過小張力はヘッドセットを十分に保持できない。上述のヘッドバンドは、これらの問題を軽減し、そして頭のサイズが様々に異なるユーザーが似たような頭張力を受けるのことを可能にする。
【００２１】
図２Ａと図６〜７に最もよく示されているように、例示のヘッドセットアセンブリ１００は電子装置ハウジングを提供する。この電子装置ハウジングはヘッドバンド１１０から容易に取り外すことができ、そして例えばユーザーの帽子に取り付けることができる。この帽子は、例えば野球帽やバイザーなどであろう。例示の実施形態においては、帽子とヘッドバンドの間で電子装置ハウジング１２０を互いにやり取りするために、典型的なクリップ部材１４０が備えられている。本発明はそのように限定されていないが、クリップ部材１４０が例えばナイロンのような実質的に硬質のプラスチックで形成されてもよい。
【００２２】
典型的なクリップ部材１４０は、ヘッドバンド又は帽子にクリップ部材を取り付けるための上部１４１および電子装置ハウジング１２０が取り付けられるであろう下部１４８を有している。クリップ部材の上部１４１は二つのアーム１４２、１４４を有しており、これらのアームがそれらの間にスロット１４６を形成している。クリップ部材１４０をヘッドバンド１１０に取り付けるべく、支持ヘッドピース１１２の部分１１８がクリップ部材１４０のスロット１４６に摺動可能に挿入される。通常の条件下で支持ヘッドピース１１２に対する所望の位置にクリップ部材１４０を保持している間に、クリップ部材１４０を支持ヘッドピース１１２に対して摺動させることができるように、十分な力で二つのアーム１４２、１４４を互いに寄り合うように偏らせてもよい。クリップ部材のアームは、別々に形成されても、或いは一つの一体鋳造物から形成されてもよい。
【００２３】
図２Ａに最もよく示されているように、クリップ部材１４０のスロット１４６に受け入れられる、支持ヘッドピース１１２の部分１１８は、支持ヘッドピース１１２の外側面１１９に対して凹んでいてもよい。クリップ部材のアーム１４２、１４４の外側表面１４３、１４９が支持ヘッドピース１１２の外側面１１９と比較的に同じ高さになるように、支持ヘッドピース１１２の部分１１８の凹みが十分に深いであろう。クリップ部材１４０をヘッドバンド１１０にしっかりと固定すべく、支持ヘッドピース１１２がクリップ部材１４０内の穴に係合するタブを備えていてもよい。ヘッドバンド１１０からクリップ部材１４０を取り外すために、このタブが押し下げられるであろう。代わりの実施形態においては、クリップ部材１４０をヘッドバンド１１０にしっかりと固定すべく、押し下げボタンがクリップ部材に設けられることもあろう。クリップ部材１４０をヘッドバンドに対して相対的に下方に摺動させて、クリップ部材をヘッドバンド１１０から取り外すべく、前記の押し下げボタンが押し下げられるであろう。
【００２４】
電子装置ハウジングを帽子に取り付けるために、クリップ部材の上部１４１を用いてもよい。例えば、クリップ部材のアーム１４２、１４４の間に帽子を摺動可能に受け入れることによって、クリップ部材１４０を帽子に取り付けてもよい。代わりの実施形態においては、図７Ａ〜７Ｄに最もよく示されているように、クリップ部材１４０を帽子に取り付けるために、アダプター７００が備えられる。典型的なアダプター７００は概して２本の脚７０２、７０４を有している。これらの脚７０２、７０４は概して互いに寄り合うように偏らされている。脚７０４は上部フランジ７０６と下部フランジ７０８を備えている。上部フランジ７０６には（図７Ｂに最もよく示されているように）スロット７１０が設けられている。アダプター７００をクリップ部材１４０に取り付けるために、スロット７１０がクリップ部材のアーム１４２を受け入れる。下部フランジ７０８がパッド１３０の下で留められる迄、アダプター７００がアーム１４２に沿って下方に摺動させられる。帽子をアダプターの２本のアーム７０２、７０４の間で摺動させることによって、帽子がアダプターに取り付けられる。帽子アダプター７００は、例えばステンレス鋼製であってもよい。
【００２５】
上述のクリップ部材は、好都合に、電子装置ハウジングをヘッドバンドと帽子に互いにやり取り可能に取り付けることを可能にする。上述の典型的なクリップ部材は単なる例示である。本発明はそのように限定されるものではない。例えば、ヘッドバンドによって形成されるスロットに受け入れられる１本の脚を有するクリップ部材が用いられて、電子装置ハウジングのやり取りが行われてもよい。この実施形態においては、クリップ部材を帽子に取り付けるために、帽子アダプターが用いられることもあろう。
【００２６】
図８に例示されているように、典型的なヘッドセットアセンブリ１００は、更にユーザーの耳から回動して遠ざかる電子装置ハウジング１２０を有している。概して、電子装置ハウジング１２０はヒンジ１１０によってヘッドバンド１１０に枢着されている。このヒンジ１８０には、例えば電子パッケージ１２０を容易に回動可能な状態に保持し、且つ電子パッケージ１２０をユーザーの耳から離して十分に保持すべく、適当に選定された摩擦を有する可変摩擦枢軸ピンが含まれてもよい。このヒンジ１８０によって、使用中には電子パッケージ１２０をユーザーの耳に当て、不使用時またはユーザーが快適性を高めたい時には電子パッケージ１２０を回動させて耳から遠ざけることが可能になる。
【００２７】
上記の代表的な実施形態においては、電子装置ハウジング１２０はクリップ部材１４０によってヘッドバンド１１０に回動可能に連結されている。特に、電子装置ハウジング１２０は、例えば、クリップ部材の延長部１４８においてクリップ部材１４０に回動可能に連結されている。上述したように、このクリップ部材１４０はヘッドバンドに取り付けられている。かくて、電子装置ハウジング１２０が帽子やヘッドバンド１１０に取り付けられている間に、同ハウジングを回動させて、ユーザーの耳から遠ざけることが可能である。
【００２８】
図２と図９に最もよく示されているように、典型的な電子装置ハウジング１２０には、更に電池９００が含まれる。図２に最もよく示されているように、装着された電池９００の一部が電子装置ハウジングの外部にはみ出していてもよい。例えば、電池９００の一部がイヤホーンスピーカー１２８と電子装置ハウジング１２０の間のスペースを占有してもよい。電池９００を電子装置ハウジング１２０に装着することによって、ヘッドセット１００の一端と電子装置ハウジング１２０の間の配線が不要になる。更に、電子装置ハウジング１２０をヘッドバンド１１０から取り外して、通信に用いることも可能である。電池９００を電子装置ハウジング１２０とイヤホーンスピーカー１２８の間に配置することによって、電子装置ハウジング１２０内の電子装置に十分な電力を供給しつつ、未使用スペースを活用でき、且つ電子装置ハウジング１２０の幅を小さくできる。
【００２９】
電池９００は電子装置ハウジング１２０に幾つかの異なる方法で装着されてもよい。代表的な実施形態において、図９に最もよく示されているように、電池９００は摺動可能に電子装置ハウジング１２０内のスロット９０２に挿入されている。電池９００をスロット９０２内にしっかりと固定するために、電池９００の挿入部分とスロット９０２は互いに嵌まり合って電池９００を保持するような形状と構造を有してもよい。例えば、スロット９０２は、該スロット９０２の各側にフランジ９０４を備えてもよく、それらは電池９００の対応する凹部９０６と嵌まり合う。代表的な実施形態において、電池９００の下方領域の部分は電池９００の上方領域を越えて延在し、電池凹部９０６を形成する。電池９００をスロット９０２の軸方向に固定するためにラッチ９０８が更に備えられてもよい。ラッチ９０８は、例えば、電池９００が挿入される際に上向きに配置され、電池が完全に挿入されたときに下方に移動して電池９００内でノッチ９１０に係合する、ばね付きラッチでもよい。電池９００を取り外すために、ラッチ９０８は上方に付勢されてもよい。
【００３０】
電池９００の電子装置ハウジング１２０との摺動着脱の際、任意の突出する電気接点が対向するハウジング構造物と摺動可能に係合し、それにより、電気接点に付着し良好な電気接触を防ぐであろう汚染物質を生じさせる場合がある。電池９００は頻繁に取り替えられるので、電池９００と電子装置ハウジング１２０の間の適切な電気接触を可能にするように考慮することが重要である。接触の不具合は、電池の寿命を縮め、内部回路の故障を生じさせ得る。以下に記載されるように、電池９００は、一般にプラスチック製である電池９００のハウジング９２０と電子装置ハウジング１２０の電気接点９２２との摺動接触の量を制限するのを助ける構造物を備える。
【００３１】
図１１に示されるように、電気接点９２２はスロット９０２内へ延在する。電気接点９２２は、図１０および図１１に示される位置に向かって外方に偏らされた可撓性のリーフスプリング構造物である。接点９２２は、電池９００がスロット９０２に挿入されると、電子装置ハウジング１２０内へと内側に移動する。電池９００は、電子装置ハウジング１２０の電気接点９２２と電気接触を行うための２個の電気接点９２４を備える。電池ハウジング９２０のベース９２６は凹部領域９２８を備え、これは、電池９００の摺動着脱の際に、電池ハウジング９２０と突出する電気接点９２２との間の摺動接触の量を制限する。好適な実施形態において、凹部領域９２８は、２個の長手方向のスロット９３０を備え、これらは接点９２２の中央幅９３２を越えて電気接点９２２と接触しない。特に、スロット９３０は、電気接点９２２の各々の中央部分に隣接する接触制限域、あるいは無接触域９３２を残す。電気接点９２２は、各接点９２２の中央接触制限域９３２をつくる、スロット９３０の幅Ｗ2よりも大きい幅Ｗ1を備えるものとして示されている。
【００３２】
電気接点９２２、９２４間の電気接触を更に高めるために、電池９００の電気接点９２４には、電池９００の電気接点９２４と電子装置ハウジング１２０の電気接点９２２との間の電気接触を集中させるための隆起中央部９３４が備えられている。隆起部９３４は隆起前端９３６を備え、この隆起前端は、更に、電気接点９２２に溜まっているであろう汚染物質を擦り落とすのを助けるために、電気接点９２２を掻き均したり清掃する働きをする。電気接点９２４は、隆起部９３４のための狭い幅がＷ4の、全般的な幅Ｗ3を有する。隆起領域９３４は概してその幅がスロット９３０の幅Ｗ2および接触制限域９３２の幅と等しい。
【００３３】
電池９００のハウジング９２０は概して電池９００の着脱の際に電気接点９２２に接触するであろう外縁すなわち端部９４０を備える。しかしながら、その衝撃は、電気接点９２２に少なからぬ量の汚染物質を付着させる限り無視できると考えられる。更に、隆起部９３４の擦り落とす働きは、付着するであろう汚染物質を除去する助けとなるであろう。図１４は、好適なスロット９３０を例示している。図１４は、外縁９４０との発生し得る接触を除き、幅Ｗ1を隔ててベース９２６と電気接点９２２の間のすべての接触を避けさせようとする、凹部領域９２８のための代替的なスロット９４４を更に例示している。ハウジング９２０の外縁９４０は任意選択であることが理解されるべきである。凹部領域９２８は、また、２個の別々のスロットとしてよりもむしろ一つの大きな凹部として形成されてもよい。
【００３４】
本発明は、上述の特定の例に限定されると見なされるべきではなく、むしろ、添付の特許請求の範囲に正当に記載されている本発明のすべての態様をカバーするものとして理解されるべきである。本発明が適用されるであろう様々な修正および多くの等価構造物が、本明細書を熟読すれば本発明に関する当業者には容易に明らかとなろう。特許請求の範囲はかかる修正と構造物をカバーすべく意図されている。
【図面の簡単な説明】
【図１】  本発明の一実施形態による典型的なヘッドセットアセンブリの斜視図である。
【図２Ａ】  図１のヘッドセットアセンブリの正面断面図である。
【図２Ｂ】  図１のヘッドセットアセンブリの正面断面図である。
【図３】  幅の設定が異なる図１の典型的なヘッドセットアセンブリの正面平面図である。
【図４】  幅の設定が異なる図１の典型的なヘッドセットアセンブリの正面平面図である。
【図５】  幅の設定が異なる図１の典型的なヘッドセットアセンブリの正面平面図である。
【図６】  本発明の一実施形態による電子装置ハウジングに連結された典型的なクリップ部材の正面平面図である。
【図７Ａ】  本発明の一実施形態による典型的なアダプターの図である。
【図７Ｂ】  本発明の一実施形態による典型的なアダプターの図である。
【図７Ｃ】  本発明の一実施形態による典型的なアダプターの図である。
【図７Ｄ】  本発明の一実施形態による典型的なアダプターの図である。
【図８】  図１の典型的なヘッドセットアセンブリの正面平面図である。
【図９】  図１のヘッドセットアセンブリの分解斜視図である。
【図１０】  電池スロットから取り外された電池を示す、電子装置ハウジングの斜視図である。
【図１１】  電池スロットから取り外された電池を示す、電子装置ハウジングの一部の正面図である。
【図１２】  電池の底面斜視図である。
【図１３】  図１２の電池の底面図である。
【図１３Ａ】  電池のベースの一部の拡大図である。
【図１４】  図１２の電池の端面図である。
【図１】
0004745585.tif 000002
【図２Ａ】
0004745585.tif 000003
【図２Ｂ】
0004745585.tif 000004
【図３】
0004745585.tif 000005
【図４】
0004745585.tif 000006
【図５】
0004745585.tif 000007
【図６】
0004745585.tif 000008
【図７Ａ】
0004745585.tif 000009
【図７Ｂ】
0004745585.tif 000010
【図７Ｃ】
0004745585.tif 000011
【図７Ｄ】
0004745585.tif 000012
【図８】
0004745585.tif 000013
【図９】
0004745585.tif 000014
【図１０】
0004745585.tif 000015
【図１１】
0004745585.tif 000016
【図１２】
0004745585.tif 000017
【図１３】
0004745585.tif 000018
【図１３Ａ】
0004745585.tif 000019
【図１４】
0004745585.tif 000020